(57)【要約】【課題】ラックに構築した装置構成が、データセンタが規定する設置条件を超えていないか、あるいは、当該設置条件を超えそうであるか否かを管理できるラック環境管理システムおよびラック環境管理方法を提供する。【解決手段】ラック環境管理システムおよびラック環境管理方法は、測定部と、条件照合部とを有する。測定部は、複数段からなるラックのそれぞれに搭載された搭載機器の稼働状態を測定する。測定部の測定した測定情報および搭載機器に関する詳細情報を環境情報とする。ラックの設置条件に関する情報を条件情報とする。条件照合部は、環境情報と条件情報とを比較してその結果を出力する。【選択図】図１
2011034287.tif 000002
【特許請求の範囲】
【請求項１】
複数段からなるラックのそれぞれに搭載された搭載機器の状態を測定する測定部と、
前記測定部の測定した測定情報および前記搭載機器に関する詳細情報を環境情報とし、前記ラックにおける搭載機器の設置条件に関する情報を条件情報とし、前記環境情報と前記条件情報とを比較してその結果を出力する条件照合部と、を有するラック環境管理システム。
【請求項２】
前記条件照合部は、前記測定部の測定した測定情報、前記搭載機器に関する詳細情報および増設する搭載機器に関する詳細情報を第１の予測環境情報とし、前記第１の予測環境情報と前記条件情報とを比較してその結果を出力する、請求項１記載のラック環境管理システム。
【請求項３】
前記条件照合部は、前記測定部の測定した測定情報、前記搭載機器に関する詳細情報、前記取り外す搭載機器および当該前記取り外す搭載機器の代わりに取り付ける代替搭載機器に関する詳細情報を第２の予測環境情報とし、前記第２の予測環境情報と前記条件情報とを比較してその結果を出力する、請求項１記載のラック環境管理システム。
【請求項４】
前記測定部は、搭載機器が消費する電力消費量を搭載装置毎に測定する電力測定部と、
ラック内の複数箇所の温度を測定する温度測定部と、を有する請求項１乃至３のいずれか１項に記載のラック環境管理システム。
【請求項５】
前記測定情報は、
前記電力測定部が測定した各搭載機器の電力消費量を示す情報と、
前記温度測定部が測定したラック内の複数箇所の温度を示す情報と、を有する請求項４に記載のラック環境管理システム。
【請求項６】
前記詳細情報は、搭載機器の識別番号を示す情報、搭載機器の設置位置を示す情報および搭載機器の大きさを示す情報のうち1以上を有する、請求項１乃至３のいずれか１項に記載のラック環境管理システム。
【請求項７】
前記ラック設置条件に関する情報は、前記ラックの大きさを示す情報、前記ラックの耐重量を示す情報および前記ラックに搭載された機器に供給可能な電力量を示す情報のうち1以上を有する、請求項１乃至３のいずれか１項に記載のラック環境管理システム。
【請求項８】
前記条件情報は、前記ラックにおける搭載機器の設置条件に関する情報に加えて、前記搭載機器が正常に作動するための温度閾値を示す情報を有する、請求項１乃至３のいずれか１項に記載のラック環境管理システム。
【請求項９】
前記第１の予測環境情報は、前記環境情報、前記増設する搭載機器の重量、前記増設する搭載機器の大きさ及び前記増設する搭載機器の予想消費電力を示す情報を有する、請求項２に記載のラック環境管理システム。
【請求項１０】
前記第２の予測環境情報は、前記環境情報と、前記代替搭載機器の重量、前記代替搭載機器の大きさ及び前記搭載機器の予想消費電力を示す情報と、前記搭載機器の識別番号を示す情報とを有する、請求項３に記載のラック環境管理システム。
【請求項１１】
前記条件照合部は、前記比較した結果を表示する表示部を有する、請求項１乃至３のいずれか１項に記載のラック環境管理システム。
【請求項１２】
前記測定部はラック毎に設けられ、前記条件照合部とネットワークを介して接続される、請求項１乃至３のいずれか１項に記載のラック環境管理システム。
【請求項１３】
複数段からなるラックのそれぞれに搭載された搭載機器の状態を測定し、
前記測定した測定情報および前記搭載機器に関する詳細情報を環境情報とし、前記ラックにおける搭載機器の設置条件に関する情報を条件情報とし、前記環境情報と前記条件情報とを比較してその結果を出力する、ラック環境管理方法。
【請求項１４】
前記測定した測定情報、前記搭載機器に関する詳細情報および増設する搭載機器に関する詳細情報を第１の予測環境情報とし、前記第２の予測環境情報と前記条件情報とを比較してその結果を出力する、請求項２記載のラック環境管理方法。
【請求項１５】
前記測定した測定情報、前記搭載機器に関する詳細情報、前記取り外す搭載機器および当該前記取り外す搭載機器の代わりに取り付ける代替搭載機器に関する詳細情報を第２の予測環境情報とし、前記第２の予測環境情報と前記条件情報とを比較してその結果を出力する、請求項３記載のラック環境管理方法。
【発明の詳細な説明】
【技術分野】
【０００１】
本発明は、ラックに搭載された機器の管理を行うラック環境管理システムおよびラック環境管理方法に関し、特に、搭載機器の増設や交換の検討を容易にするラック環境管理システムおよびラック環境管理方法に関する。
【背景技術】
【０００２】
複数の搭載機器をラックに搭載して、ラックごとに搭載機器の情報を収集し、搭載機器の管理を行うラック環境管理システムがある。このようなシステムを利用するものとして、複数のクライアントのサーバ、ルーター、ＬＡＮ等のサーバーシステムを管理するデータセンタがある。データセンタにおいてはクライアント毎にラックを供与し、確実かつ集中して複数のラックを管理することが求められる。
【０００３】
また、データセンタにおいて、複数の搭載機器はラックごとに管理され、ラックごとの供給電力、耐重量、搭載数（高さ：Ｕ数）には制限が設けられている。このため、ラックにサーバを搭載する際、スペース（高さ）に余裕があっても、電力や耐重量の制限、また、搭載機器の排気熱によって生じる排気熱により、１ラックの搭載台数を抑えなければならない場合がある。運用開始前の１ラックあたりのサーバ設置台数（消費電力、重量、高さ）の見積りは、カタログなどを参考に机上で算出するか、個体装置の実測値を元に算出する。
【０００４】
従来のデータセンタにおけるラック環境の管理方法の一例が、特許文献１に記載されている。特許文献１に記載のデータセンタ用管理装置は、制御監視装置と管理装置とで構成されている。制御管理装置は、ラック扉の施錠および解錠を検出し制御する錠制御手段と、ラック内の温度を検出し制御する温度センサとファン装置からなる温度管理手段と、ラック内の電源を管理する電源管理手段と、異状を報知する警報手段とを有している。管理装置は、複数の制御監視装置を接続してモニターする。
【０００５】
ここで、特許文献1に記載のラック環境管理方法を以下に示す。錠制御手段は、ＩＤカードの利用・指紋照合等の操作者を特定しラックを解錠する。また、温度管理手段は、ラック内の温度とファンの動作状態を監視し、ラック内の温度が設定値を超えた場合にはファンを稼働させる。電源管理手段は、ラック内に供給される電源について電流と電圧を監視する。警報手段は、温度や電源が設定値を超えた場合にアラームを報じる装置に接続して異状を報じる。複数の制御監視装置に接続された管理装置により、複数のラック環境を管理する。
【０００６】
また、複数の搭載機器がラックのいずれの棚に搭載されているか管理するものとして、特許文献２に記載の技術が公開されている。特許文献２に記載の技術は、ＩＣタグを取り付けた搭載装置と、ラックと、ラックの各棚に設けられたＩＣタグを読み取るリーダ装置と、リーダ装置が読み取ったＩＣタグの情報を受け取って出力する制御装置と、制御装置が出力したＩＣタグの情報をネットワーク経由で受け取り、管理する管理装置とを有する。
【０００７】
搭載機器に取り付けられたＩＣタグは、例えば品名、型名などの情報を有し、その情報を各棚に設置されたリーダ装置で読み取ることによって、いずれの棚にいずれの搭載機器が搭載されているか情報を取得できる。ネットワークを介して管理装置にその情報を送ることで、搭載機器の一括管理ができる。また、管理装置にあらかじめラックのいずれの棚にいずれの搭載装置が搭載されるべきかを示したマスタ構成情報を登録し、マスタ構成情報と実際の搭載装置の搭載情報とを比較することで搭載機器の確認ができる。
【０００８】
また、複数のデバイス機器の温度管理を行う技術が特許文献３に記載されている。ラックに搭載された搭載機器の管理方法ではないが、複数のデバイス機器を冷却する複数の温度センサを有し、どのデバイスが高温になっているか把握する。この技術は、複数の温度センサと、複数の冷却ファンと、複数の温度センサと複数の冷却ファンとに接続された制御部とを有する。複数の温度センサは、それぞれ複数のデバイスの温度を測定する。温度センサがデバイスごとに設定された閾値を超えた温度を測定した場合には、制御部はいずれのデバイスが高温になっているかを識別し、当該デバイスの温度を管理する。
【先行技術文献】
【特許文献】
【０００９】
【特許文献１】特開２００２−３１９０８２号公報
【特許文献２】特開２００７−２２６５８２号公報
【特許文献３】特開平１０−３０７６４８号公報
【発明の概要】
【発明が解決しようとする課題】
【００１０】
従来、データセンタにおけるラックの環境管理は、運用時の異状やセキュリティ状況の監視には有効な技術であるが、データセンタの設置条件に照らし合わせた装置構成の管理はできない。よって、ラックに構築した装置構成が、データセンタが規定する設置条件を超えていないか、あるいは、当該設置条件を超えそうであるか否かは管理できないという問題点があった。
【００１１】
本発明はこのような問題点を解決するためになされたものであり、ラックに構築した装置構成が、データセンタが規定する設置条件を超えていないか、あるいは、当該設置条件を超えそうであるか否かを管理できるラック環境管理システムおよびラック環境管理方法を提供することを目的とする。
【課題を解決するための手段】
【００１２】
本発明にかかるラック環境管理システムは、複数段からなるラックのそれぞれに搭載された搭載機器の稼働状態を測定する測定部と、前記測定部の測定した測定情報および前記搭載機器に関する詳細情報を環境情報とし、前記ラックにおける機器の設置条件に関する情報を条件情報とし、前記環境情報と前記条件情報とを比較してその結果を出力する条件照合部とを有するものである。
【発明の効果】
【００１３】
本発明にかかるラック環境管理システムおよびラック環境管理方法は、環境情報と条件情報とを比較してその結果を出力する。そのため、ラックに構築した装置構成が、データセンタが規定する設置条件を超えていないか、あるいは、当該設置条件を超えそうであるか否かを管理できる。
【図面の簡単な説明】
【００１４】
【図１】実施の形態１にかかるラック環境管理システムを示す図である。
【図２】実施の形態１にかかるラック環境管理システムの構成図である。
【図３】実施の形態１にかかるラック環境管理システムの動作の流れを示す図である。
【図４】実施の形態２にかかるラック環境管理システムの動作の流れを示す図である。
【発明を実施するための形態】
【００１５】
実施の形態１
以下、図面を参照して本発明の実施の形態について説明する。
図１は、本発明の実施の形態にかかるラック環境管理システム１の構成図である。本発明にかかるラック環境管理システム１は、複数段からなるラックのそれぞれに搭載された搭載機器の稼働状態を測定する測定部としてのラック環境監視装置１０を有する。ラック環境監視装置１０は、電力測定装置１１、温度測定装置１２および情報制御部１３を有している。電力測定装置１１および温度測定装置１２の測定した測定情報および搭載機器に関する詳細情報を環境情報とし、ラックの設置条件に関する情報を条件情報とし、環境情報と条件情報とを比較してその結果を出力する条件照合部としての管理装置２０を有する。なお、測定情報、詳細情報および条件情報については後述する。
【００１６】
次に、各ブロックについて詳細に説明する。本実施の形態にかかるラック環境管理システム１は、ラック環境監視装置１０及び管理装置２０とから構成されている。
【００１７】
図２は、ラック環境管理システム１を示す図である。ラック環境監視装置１０は、電力測定装置１１と、温度測定装置１２と、情報制御部１３とを有する。ラック環境監視装置１０は、ラック１台につき１台設置され、当該ラックには、１以上の搭載機器が搭載されている。電力測定装置１１は装置番号が付けられて搭載機器１台につき１台設置されている。温度測定装置１２は、１台のラックに複数台が設置され、装置番号が付けられている。情報制御部１３は、電力測定装置１１および温度測定装置１２と接続されている。ラック環境監視装置１０と管理装置２０はネットワーク３０を介して接続されている。
【００１８】
図１に戻って、電力測定装置１１は、搭載機器毎に設置され、装置番号が付けられている。電力測定装置１１は、搭載機器毎の消費電力を測定して、情報制御部１３に測定情報を送信する。装置番号は電力測定装置の設置された位置の情報を有する。
【００１９】
電力測定装置１１は、搭載機器毎に電力を測定する電力測定部１１１と、測定した電力情報をラック環境監視装置２０に送信する電力情報送信部１１２とを有している。
【００２０】
電力測定部１１１は、ラックに搭載された搭載機器毎の消費電力を測定し、測定結果を電力情報送信部１１２に出力する。
【００２１】
電力情報送信部１１２は、電力測定部１１１から出力された電力測定結果と電力測定装置１１の装置番号とを電力情報としてラック環境監視装置２０に出力する。
【００２２】
温度測定装置１２は、ラック内に複数台設置され、それぞれ装置番号が付けられている。温度測定装置１２は、ラック内の温度を測定して、情報制御部１３に測定情報を送信する。装置番号は、当該温度測定装置１２が設置されている位置の情報を有する。このとき、たとえば温度測定装置１２は一定の間隔をあけて設置してもよいし、搭載機器毎に設置してもよい。
【００２３】
温度測定装置１２は、温度測定部１２１および温度情報送信部１２２を有し、温度測定部１２１を用いてラック内の温度を測定する。
【００２４】
温度測定部１２１は、温度測定装置１２が設置された位置におけるラック内の温度を測定し、測定結果を温度情報送信部１２２に出力する。
【００２５】
温度情報送信部１２２は、温度測定部１２１から出力された温度測定結果と温度測定装置１３の装置番号とを情報管理部１０１に温度情報として出力する。
【００２６】
情報管理部１３は、ラック１台につき１台設置されている。情報管理部１３は、ラック内の情報と、搭載機器の情報を収集し、収集した情報を管理装置２０に送信する。
【００２７】
情報管理部１３は外部から情報を入力する情報登録部１０１と、情報管理部１０２と、情報送信部１０３とを有している。また、情報管理部１３は、ネットワーク３０を介して管理装置２０と接続されている。
【００２８】
情報登録部１０１は、外部から入力された情報を情報管理部１０２に出力する。外部から入力された情報とは、詳細情報、ラックの設置条件に関する情報および条件情報である。ここで、詳細情報、ラックの設置条件に関する情報および条件情報について説明する。
【００２９】
詳細情報は、搭載機器の識別番号に対応した、搭載機器の重量、搭載機器のサイズ（Ｕ数）、搭載位置を含む搭載機器に関する情報を有する。ここで、Ｕ数とは搭載機器をラックに搭載した際に占める高さを示す単位である。
【００３０】
ラックの設置条件に関する情報は、ラックの耐重量、ラックのサイズ（Ｕ数）およびラックあたりに供給可能な電力量を示す情報を有する。
【００３１】
条件情報は、ラックの設置条件に関する情報に加えて、搭載機器が正常に稼働するための温度閾値を示す情報を有する。
【００３２】
詳細情報、ラックの設置条件に関する情報および条件情報は、情報登録部１０１から入力する。または、後述する条件入力部２０１を用いて入力する。
【００３３】
情報管理部１０２は、電力情報送信部１１２および温度情報送信部１２２から出力された電力情報および温度情報と、情報登録部１０１が外部から得た詳細情報、ラックの設置条件に関する情報および条件情報を搭載機器の識別番号に対応させて整理し、情報送信部１０３に出力し、保持する。
【００３４】
情報管理部１０２は、消費電力、サイズ(Ｕ数)、重さおよび搭載位置を示す情報を搭載機器の識別番号と対応させ、整理する。また、温度情報と、搭載機器の位置を示す情報から、当該温度情報を測定した温度測定装置１２が設置されたラック内の位置と、最寄りの搭載機器の識別番号とを対応させる。以上のように、詳細情報と測定情報とを搭載機器の識別番号と対応させた情報を環境情報とする。
【００３５】
情報管理部１０２は、環境情報を情報送信部１０３に出力し、保持する。情報管理部１０２は、ラックに関する情報と、搭載機器が正常に作動するための温度閾値を示す情報を搭載機器の識別番号と対応させた情報と、を条件情報とし、当該条件情報を情報送信部１０３に出力し、保持する。ラックの設置条件に関する情報は、ラックの耐重量、ラックのサイズ（Ｕ数）、ラックあたりに供給可能な電力量を示す情報を有する。条件情報は、ラックの耐重量、ラックのサイズ（Ｕ数）、ラックあたりに供給可能な電力量を示す情報に加えて、搭載機器が正常に稼働するための温度閾値を示す情報を有する。
【００３６】
情報送信部１０３は、情報管理部１０２から出力された環境情報および条件情報を、ネットワーク３０を介して管理装置２０に出力する。
【００３７】
管理装置２０は、環境情報と条件情報とを比較してその結果を出力する。管理装置２０は、ネットワーク３０を介して情報送信部１０３から情報を出力される情報収集部２０２と、外部から情報を入力する条件入力部２０１と、情報収集部２０２および条件入力部２０１から得られた環境情報と条件情報を比較してその結果を出力する条件照合部２０３と、条件照合部２０３が出力した結果を表示する環境表示部２０４とを有する。
【００３８】
情報収集部２０２は、ネットワークを介して情報送信部１０３から環境情報および条件情報を取得する。情報収集部２０２は、環境情報の有する各搭載機器の消費電力の値、重量およびサイズ（Ｕ数）をラックごとに合計し、ラックの搭載機器の合計消費電力、合計重量、合計サイズ（Ｕ数）を算出する。
【００３９】
情報収集部２０２は、当該合計消費電力、合計重量および合計サイズ（Ｕ数）を示す情報、環境情報および条件情報を条件照合部２０１に出力するとともに保持する。
【００４０】
条件登録部２０１は、外部から入力された情報を情報管理部１０１に出力する。外部から入力された情報とは、詳細情報、ラックの設置条件に関する情報および条件情報である。上述のように、詳細情報、ラックの設置条件に関する情報および条件情報は、情報登録部１０１で入力してもよい。
【００４１】
条件照合部２０３は、情報収集部２０２および条件入力部２０１から出力された合計消費電力、合計重量および合計サイズ（Ｕ数）を示す情報と温度情報と条件情報とを比較し、対応する値の差分を計算する。測定された温度は、当該温度を測定した温度測定装置１２の設置された位置から最寄りの搭載機器の温度閾値と比較され、差分を算出する。算出された算出結果は条件照合部２０３から環境表示部２０４に出力される。
【００４２】
環境表示部２０４は条件照合部２０３から出力された算出結果を表示する。合計消費電力、合計重量および合計サイズ（Ｕ数）を示す情報と温度情報と条件情報の対応する値のうち、合計消費電力、合計重量および合計サイズ（Ｕ数）を示す情報の有する値が条件情報の有する値を上回った場合には、アラート表示する等してそれを通知する。
【００４３】
次に、各ブロックの詳細な動作について、実際の流れに沿って説明する。図３は、実施の形態１にかかるラック環境管理システムの動作の流れを示す図である。まず、情報登録部１０１で、外部からカタログ等を参考に搭載機器の重量、サイズ（Ｕ数）、識別番号および搭載位置を示す情報を有する詳細情報を入力する。情報登録部１０１は、入力された情報を情報管理部１０２に出力する（ステップＡ１）。
【００４４】
電力測定部１１１で、搭載機器の消費電力を測定する（ステップＡ２）。電力情報送信部１１２は、測定した消費電力を示す情報および電力測定装置１１の装置番号を示す情報を情報管理部１０２に出力する（ステップＡ３）。
【００４５】
温度測定部１２１で、ラック内複数の異なった箇所の温度を測定する（ステップＡ４）。温度情報送信部１２２は、は、測定した温度および温度測定装置１２の装置番号を示す情報を情報管理部１０２に出力する（ステップＡ５）。
【００４６】
情報管理部１０２は、搭載機器ごとの重量、高さ（Ｕ数）、消費電力を示す情報と、ラック内複数個所の温度を示す情報とを環境情報として収集し、保持する。また情報管理部１０２は、環境情報を情報送信部１０３に出力する（ステップＡ６）。
【００４７】
情報送信部１０３は、出力された環境情報を、ネットワークを介して管理装置２０に送信する（ステップＡ７）。
【００４８】
次に管理装置２０の動作を説明する。まず、条件入力部２０１により、設置環境の閾値として、ラックの耐重量、ラックのサイズ（搭載可能Ｕ数）、ラックごとの供給電力及び各搭載機器が正常に作動するための温度閾値を条件情報として入力する（ステップＢ１）。
【００４９】
情報収集部２０２は、情報制御部１３から送信された環境情報を保持し、ラック内ごとに各装置の、重量、高さ（Ｕ数）、消費電力の値を合計し、合計した結果および環境情報を条件照合部２０３に出力する（ステップＢ２）。
【００５０】
条件照合部２０３で、情報収集部２０２から出力されたラック内装置の総重量、搭載機器のサイズ（Ｕ数）、総消費電力、ラック内各所の温度と、条件入力部２０１から入力された、ラックの耐重量、ラックの高さ（搭載可能Ｕ数）、供給電力及び各搭載機器の温度の閾値を照合して各情報の差分を計算する。
【００５１】
条件照合部２０３は、各情報の差分情報と、情報収集部２０２から渡された環境情報と、条件入力部２０１から入力された情報を環境表示部２０４に送る（ステップＢ３）。
【００５２】
環境表示部２０４は、条件照合部２０３から出力された情報を表示する。環境表示部２０４は、ラックの耐重量、ラックの高さ（搭載可能Ｕ数）、供給電力、及び、各搭載機器の温度閾値と、ラック内装置の総重量、搭載機器の合計高さ（搭載機器の使用Ｕ数）、総消費電力、ラック内複数個所の温度および差分情報を表示する。また、閾値を超えた情報があればアラート表示する（ステップＢ４）。
【００５３】
本実施の形態においては、データセンタの規定したラックの設置条件や、ラックの搭載設置条件に関する情報を設定し、実際にデータセンタで運用中のラック環境を示す情報と照合するように構成されている。そのため、データセンタにおいて、無駄を抑えながら効率的にラックを利用・管理できるという効果がある。
【００５４】
また、１ラックあたりのサーバ設置台数（消費電力、重量、高さ）の見積りは、カタログなどを参考に机上で算出、あるいは個体装置の実測値を元に積算しているが、運用開始後、実際の稼動（電力、排気熱）状況がどうなっているかは簡単には判別できない。しかし、本実施の形態では、利用中のラックにあとどれくらいの余裕があるかを、重量、電力、スペース、温度の観点から管理することができる。よって、データセンタのラックへの装置増設の可否をよりわかりやすくすることができる。
【００５５】
加えて、本実施の形態にかかるラック環境管理システムは、搭載機器が正常に作動する温度閾値と、最寄りの温度測定装置が測定した温度とを比較し、より搭載機器に適した温度管理ができる。
【００５６】
また、温度異状を検知した場合、温度測定装置を数Ｕ間隔ごとに複数台取り付けることで、ラックのどの位置の温度が高いかを絞り込むことができる。加えて、ラック内のどの装置のあたりで異状が発生しているかを特定でき、ラック内装置の配置変更や、ファン装置をどこに追加設置すれば有効であるかをより容易に判断できる。
【００５７】
次に、実施の形態２について説明する。図４は実施の形態２にかかるラック環境管理システム１の動作の流れを示す図である。実施の形態２においては、搭載機器を増設する場合に、条件照合部としての管理装置２０は、測定部としてのラック環境監視装置１０の測定した測定情報、搭載機器に関する詳細情報および増設する搭載機器に関する詳細情報を第１の予測環境情報とする。条件照合部としての管理装置２０は、第１の予測環境情報と条件情報とを比較してその結果を出力する。
【００５８】
また、搭載機器を入れ替える場合に、条件照合部としての管理装置２０は、測定部としてのラック環境監視装置１０の測定した測定情報、搭載機器に関する詳細情報、取り外す搭載機器および当該取り外す搭載機器の代わりに取り付ける代替搭載機器に関する詳細情報を第２の予測環境情報とし、ラックの設置条件に関する情報を条件情報とする。条件照合部としての管理装置２０は、第２の予測環境情報と条件情報とを比較してその結果を出力する。
【００５９】
搭載機器を増設する場合には、情報登録部１０１または条件入力部２０１は、増設する搭載機器の詳細情報である、当該増設機器の予想消費電力、サイズおよび重量を示す情報を入力する。
【００６０】
情報収集部２０２は、搭載機器の総重量、搭載機器の合計サイズ（搭載機器の使用Ｕ数）、総消費電力を算出する際に、環境情報の有する現在の搭載機器の消費電力、サイズおよび重量の値と、増設機器の予想消費電力、サイズおよび重量の値とをそれぞれ合計して条件照合部２０３に出力する。
【００６１】
搭載機器を入れ替える場合には、情報登録部１０１または条件入力部２０１は、取り外す搭載機器の識別番号を入力する。また、当該取り外す搭載機器の代わりに取り付ける代替搭載機器に関する詳細情報である、当該増設機器の予想消費電力、サイズ(Ｕ数)および重量を示す情報を入力する。
【００６２】
情報収集部２０２は、ラック内搭載機器の総重量、高さ（搭載機器の使用Ｕ数）、総消費電力を算出する際に、環境情報の有する現在の搭載機器の消費電力、サイズおよび重量の値と、代替機器の予想消費電力、サイズおよび重量の値とをそれぞれ合計し、取り外す機器の消費電力、サイズおよび重量の値を減算して条件照合部２０３に出力する。
【００６３】
本発明の実施の形態２について、詳細に説明する。ステップＡ１〜Ａ８の動作は、実施の形態１と同様である。よって、実施の形態１と同じ動作の説明は省略する。
管理装置２０では、条件入力部２０１により、設置環境の閾値として、データセンタが規定している、ラックの耐重量、ラックの高さ（搭載可能Ｕ数）、供給電力、及び、各搭載機器の温度条件を入力する（ステップＣ１）。搭載機器増設のシミュレーションを行う場合は、増設する搭載機器の重量、高さ、予想消費電力を入力し、搭載機器交換のシミュレーションを行う場合は、置換え対象の機器を指定して、重量、高さ、予想消費電力を入力する。（ステップＣ２）。
【００６４】
情報収集部２０２は、搭載機器を増設する場合に、搭載機器の総重量、搭載機器の合計サイズ（搭載機器の使用Ｕ数）、総消費電力を算出する際に、環境情報の有する現在の搭載機器の消費電力、サイズおよび重量の値と、増設機器の予想消費電力、サイズおよび重量の値とをそれぞれ合計して条件照合部２０３に出力する。情報収集部２０２は、搭載機器を入れ替える場合、搭載機器の総重量、搭載機器の合計高さ（搭載機器の使用Ｕ数）、総消費電力を算出する際に、環境情報の有する現在の搭載機器の消費電力、サイズおよび重量の値と、代替機器の予想消費電力、サイズおよび重量の値とをそれぞれ合計し、取り外す機器の消費電力、サイズおよび重量の値を減算して条件照合部２０３に出力する(ステップＣ３)。
【００６５】
また、情報収集部２０２は、情報制御部１３から送信された情報を保持し、環境表示部２０４において画面表示し、取り外す搭載機器を当該画面表示した画面で指定するようにしてもよい。これ以降の動作（ステップＣ４〜Ｃ５）は、第１の実施の形態の動作（ステップＢ３〜Ｂ４）と同様である。
【００６６】
本実施の第２の実施の形態の効果について説明する。本実施の形態では、ラック内の搭載機器を示す情報を収集した際に、重量、高さ、予想消費電力を示す情報を追加・変更できるため、搭載機器を増設および搭載機器を交換した場合のラック環境を事前にシミュレートできるという効果がある。
【００６７】
よって、搭載機器の増設および交換の可否が重量、高さ、予想消費電力から予測することができる。よって、一つのラックに搭載上限ぎりぎりまで装置を設置することができ、余計なラックを追加利用しなくて済む。よって、データセンタ利用における無駄なコスト投入を抑制できる。
【００６８】
なお、本発明は上記実施の形態に限られたものではなく、趣旨を逸脱しない範囲で適宜変更することが可能である。たとえば、管理装置はラック環境監視装置と直接接続されていてもよく、ラック環境監視装置に表示部を設けて環境情報を表示してもよい。また、測定装置として温度と消費電力だけではなく、ラック内の湿度など、他のラック内の環境情報を測定してもよい。また、本発明はラック環境監視装置としてだけでなく、ラック搭載装置の構成検討支援ツールの一機能といった用途に適用できる。
【符号の説明】
【００６９】
１０  ラック環境監視装置
１１  電力測定装置
１２  温度測定装置
１３  情報制御部
２０  管理装置
１０１  情報登録部
１０２  情報管理部
１０３  情報送信部
１１１  電力測定部
１１２  電力情報送信部
１２１  温度測定部
１２２  温度情報送信部
２０１  条件入力部
２０２  情報収集部
２０３  条件照合部
２０４  環境表示部
【図１】
2011034287.tif 000003
【図２】
2011034287.tif 000004
【図３】
2011034287.tif 000005
【図４】
2011034287.tif 000006